(57)【要約】【課題】パンツタイプの吸収性物品において、一対の脚部開口の間の中間部の着用者に対する密着性を向上するとともに脚部開口近傍の部位の柔軟性を向上する。【解決手段】吸収性物品では、外装シート４の一対の脚部開口の間の中間部前部４０２２において第１中間部弾性部材４７が左右方向に沿って配置され、第１中間部弾性部材４７が収縮することにより第１シート４１および第２シート４２が収縮されて中間部ギャザが形成される。これにより、中間部４０２の着用者に対する密着性を向上することができる。また、中間部前部４０２２では、第１中間部弾性部材４７の左右両端部が一対の脚部開口のエッジ１２１よりも内側に位置し、第１中間部弾性部材４７の左右両端部と一対の脚部開口のエッジ１２１との間の部位が、伸縮性を有しない一対の非伸縮部４９とされることにより、外装シート４の脚部開口近傍の部位の柔軟性を向上することができる。【選択図】図６
2008295641.tif 000002
【特許請求の範囲】
【請求項１】
上端に胴部開口を有し、下部に一対の脚部開口を有するパンツタイプの吸収性物品であって、
着用者の腹側および背側の肌に接する前方部および後方部の間の中間部で折り曲げられ、前記中間部を下側に向けた際の前記前方部の左右両側の部位が、前記後方部の左右両側の部位にそれぞれ接合されることにより、前記前方部および前記後方部の上端に胴部開口が形成され、前記前方部および前記後方部の下側において前記中間部の左右に一対の脚部開口が形成される外装シートと、
前記外装シートの着用者側に取り付けられて着用者からの排泄物を吸収する吸収体と、
を備え、
前記外装シートが、
第１シートと、
前記第１シート上に積層されて前記第１シートに接合された第２シートと、
前記一対の脚部開口の間の前記中間部において、前記第１シートと前記第２シートとの間にて左右方向に沿って配置されて前記第１シートおよび前記第２シートに接合されるとともに収縮することにより前記第１シートおよび前記第２シートを収縮させて中間部ギャザを形成する複数の弾性糸を有する中間部弾性部材と、
を備え、
前記複数の弾性糸のうち少なくとも一部の弾性糸の左右両端部が前記一対の脚部開口よりも内側に位置し、前記少なくとも一部の弾性糸の前記左右両端部と前記一対の脚部開口との間の部位が、伸縮性を有しない一対の非伸縮部とされることを特徴とする吸収性物品。
【請求項２】
請求項１に記載の吸収性物品であって、
前記中間部弾性部材の前記少なくとも一部の弾性糸が、前記一対の非伸縮部を通って前記第１シートおよび前記第２シートに伸張状態にて接合された弾性糸を、前記一対の非伸縮部のそれぞれにおいて、前記第１シートおよび前記第２シートの少なくとも一方と共に切断して伸縮性を喪失させることにより形成されていることを特徴とする吸収性物品。
【請求項３】
請求項２に記載の吸収性物品であって、
前記外装シートが、前記一対の脚部開口のエッジに沿って配置されるとともに収縮することにより一対の脚部開口ギャザを形成する脚部弾性部材をさらに備え、
前記脚部弾性部材が、前記一対の非伸縮部を通って前記第１シートおよび前記第２シートに伸張状態にて接合された弾性部材を、前記一対の非伸縮部のそれぞれにおいて、前記第１シートおよび前記第２シートの前記少なくとも一方と共に切断して伸縮性を喪失させることにより形成されていることを特徴とする吸収性物品。
【請求項４】
請求項３に記載の吸収性物品であって、
前記中間部弾性部材の前記少なくとも一部の弾性糸となる前記弾性糸と前記脚部弾性部材となる前記弾性部材とが、前記一対の非伸縮部のそれぞれにおいて交差した状態で切断されることを特徴とする吸収性物品。
【請求項５】
上端に胴部開口を有し、下部に一対の脚部開口を有するパンツタイプの吸収性物品であって、
着用者の腹側および背側の肌に接する前方部および後方部の間の中間部で折り曲げられ、前記中間部を下側に向けた際の前記前方部の左右両側の部位が、前記後方部の左右両側の部位にそれぞれ接合されることにより、前記前方部および前記後方部の上端に胴部開口が形成され、前記前方部および前記後方部の下側において前記中間部の左右に一対の脚部開口が形成される外装シートと、
前記外装シートの着用者側に取り付けられて着用者からの排泄物を吸収する吸収体と、
を備え、
前記外装シートが、
第１シートと、
前記第１シート上に積層されて前記第１シートに接合された第２シートと、
前記一対の脚部開口の間の前記中間部において、前記第１シートと前記第２シートとの間にて左右方向に沿って配置されて前記第１シートおよび前記第２シートに接合されるとともに収縮することにより前記第１シートおよび前記第２シートを収縮させて中間部ギャザを形成する中間部弾性部材と、
を備え、
前記中間部弾性部材の左右両端部が前記一対の脚部開口よりも内側に位置し、前記中間部弾性部材の前記左右両端部と前記一対の脚部開口との間の部位が、伸縮性を有しない一対の非伸縮部とされることを特徴とする吸収性物品。
【請求項６】
請求項５に記載の吸収性物品であって、
前記中間部弾性部材が、前記一対の非伸縮部を通って前記第１シートおよび前記第２シートに伸張状態にて接合された弾性部材を、前記一対の非伸縮部のそれぞれにおいて、前記第１シートおよび前記第２シートの少なくとも一方と共に切断して伸縮性を喪失させることにより形成されていることを特徴とする吸収性物品。
【請求項７】
請求項６に記載の吸収性物品であって、
前記外装シートが、前記一対の脚部開口のエッジに沿って配置されるとともに収縮することにより一対の脚部開口ギャザを形成する脚部弾性部材をさらに備え、
前記脚部弾性部材が、前記一対の非伸縮部を通って前記第１シートおよび前記第２シートに伸張状態にて接合された弾性部材を、前記一対の非伸縮部のそれぞれにおいて、前記第１シートおよび前記第２シートの前記少なくとも一方と共に切断して伸縮性を喪失させることにより形成されていることを特徴とする吸収性物品。
【請求項８】
請求項７に記載の吸収性物品であって、
前記中間部弾性部材となる弾性部材と前記脚部弾性部材となる弾性部材とが、前記一対の非伸縮部のそれぞれにおいて交差した状態で切断されることを特徴とする吸収性物品。
【請求項９】
請求項１ないし８のいずれかに記載の吸収性物品であって、
前記外装シートを伸張した状態において、前記一対の非伸縮部の前記左右方向の合計幅が、前記中間部の前記一対の非伸縮部が設けられる部位における前記左右方向の幅の２０％以上６０％以下とされることを特徴とする吸収性物品。
【請求項１０】
請求項１ないし９のいずれかに記載の吸収性物品であって、
前記中間部弾性部材が、前記一対の非伸縮部の間において連続していることを特徴とする吸収性物品。
【請求項１１】
請求項１ないし１０のいずれかに記載の吸収性物品であって、
前記中間部弾性部材が、前記中間部の下端となる折り曲げ部と前記前方部との間に配置され、
左右両側に伸縮性を有しない一対の非伸縮部が配置されるもう１つの中間部弾性部材が、前記中間部の前記折り曲げ部と前記後方部との間に配置されることを特徴とする吸収性物品。
【発明の詳細な説明】
【技術分野】
【０００１】
本発明は、上端に胴部開口を有し、下部に一対の脚部開口を有するパンツタイプの吸収性物品に関する。
【背景技術】
【０００２】
従来より、着用者からの排泄物を受ける使い捨ておむつでは、着用者に対する密着性を向上するために、あるいは、使い捨ておむつの外観を向上するために、様々な部位に伸縮性が付与されている。
【０００３】
例えば特許文献１のパンツ型の使い捨ておむつでは、胴周りと平行な伸縮部材を、左右のレッグ開口縁から吸収コアの近傍位置（または、吸収コアと対応する位置）まで連続的に設けることにより、外形シートのレッグ開口縁を使い捨ておむつの幅方向中央側に収縮させてレッグ開口縁が波状にヒラヒラすることを防止し、使い捨ておむつの脚周りの外観向上が図られている。
【０００４】
また、特許文献２のパンツ型の使い捨ておむつでは、ウエスト開口部および一対のレッグ開口部に、それぞれの周縁部全周に亘って連続したギャザを形成する弾性部材が設けられ、また、ウエスト開口部と一対のレッグ開口部との間の胴周囲部に、胴周囲部の全周に亘って連続したギャザを形成する弾性部材が設けられている。特許文献２の使い捨ておむつでは、さらに、排尿ポイント部である腹側部の股下領域に、一対のレッグ開口部の一方の開口縁から他方の開口縁に至る複数の弾性部材が設けられ、使い捨ておむつの幅方向に向けて連続したギャザが排尿ポイント部に形成されることにより、排尿ポイント部におけるフィット性の向上が図られている。
【特許文献１】特開２００２−１７２１３２号公報
【特許文献２】特開平８−１１２３０８号公報
【発明の開示】
【発明が解決しようとする課題】
【０００５】
ところで、特許文献１の使い捨ておむつでは、レッグ開口縁に設けられた伸縮部材の収縮により外形シートのレッグ開口縁近傍の部位が幅方向の中央に向かって集められるため、レッグ開口縁近傍の部位の柔軟性が低下してしまい、着用者の脚周りがきつく圧迫される恐れがある。また、使い捨ておむつの装着時にレッグ開口部に対する脚の挿入が円滑に行えない恐れもあり、使い捨ておむつの着用感が低下してしまう。さらには、レッグ開口縁が幅方向の中央側に引き込まれることにより、却って使い捨ておむつの外観が損なわれる可能性もある。
【０００６】
また、特許文献２の使い捨ておむつでは、一対のレッグ開口部の全周に亘って設けられた弾性部材と排尿ポイント部に設けられた弾性部材とが、レッグ開口部近傍において交差しており、レッグ開口部近傍の部位の柔軟性が、これらの弾性部材の交差部において低下してしまうため、使い捨ておむつの着用感が低下してしまう。
【０００７】
本発明は、上記課題に鑑みなされたものであり、パンツタイプの吸収性物品において、一対の脚部開口の間の中間部の着用者に対する密着性を向上するとともに脚部開口近傍の部位の柔軟性を向上することを目的としている。
【課題を解決するための手段】
【０００８】
請求項１に記載の発明は、上端に胴部開口を有し、下部に一対の脚部開口を有するパンツタイプの吸収性物品であって、着用者の腹側および背側の肌に接する前方部および後方部の間の中間部で折り曲げられ、前記中間部を下側に向けた際の前記前方部の左右両側の部位が、前記後方部の左右両側の部位にそれぞれ接合されることにより、前記前方部および前記後方部の上端に胴部開口が形成され、前記前方部および前記後方部の下側において前記中間部の左右に一対の脚部開口が形成される外装シートと、前記外装シートの着用者側に取り付けられて着用者からの排泄物を吸収する吸収体とを備え、前記外装シートが、第１シートと、前記第１シート上に積層されて前記第１シートに接合された第２シートと、前記一対の脚部開口の間の前記中間部において、前記第１シートと前記第２シートとの間にて左右方向に沿って配置されて前記第１シートおよび前記第２シートに接合されるとともに収縮することにより前記第１シートおよび前記第２シートを収縮させて中間部ギャザを形成する複数の弾性糸を有する中間部弾性部材とを備え、前記複数の弾性糸のうち少なくとも一部の弾性糸の左右両端部が前記一対の脚部開口よりも内側に位置し、前記少なくとも一部の弾性糸の前記左右両端部と前記一対の脚部開口との間の部位が、伸縮性を有しない一対の非伸縮部とされる。
【０００９】
請求項２に記載の発明は、請求項１に記載の吸収性物品であって、前記中間部弾性部材の前記少なくとも一部の弾性糸が、前記一対の非伸縮部を通って前記第１シートおよび前記第２シートに伸張状態にて接合された弾性糸を、前記一対の非伸縮部のそれぞれにおいて、前記第１シートおよび前記第２シートの少なくとも一方と共に切断して伸縮性を喪失させることにより形成されている。
【００１０】
請求項３に記載の発明は、請求項２に記載の吸収性物品であって、前記外装シートが、前記一対の脚部開口のエッジに沿って配置されるとともに収縮することにより一対の脚部開口ギャザを形成する脚部弾性部材をさらに備え、前記脚部弾性部材が、前記一対の非伸縮部を通って前記第１シートおよび前記第２シートに伸張状態にて接合された弾性部材を、前記一対の非伸縮部のそれぞれにおいて、前記第１シートおよび前記第２シートの前記少なくとも一方と共に切断して伸縮性を喪失させることにより形成されている。
【００１１】
請求項４に記載の発明は、請求項３に記載の吸収性物品であって、前記中間部弾性部材の前記少なくとも一部の弾性糸となる前記弾性糸と前記脚部弾性部材となる前記弾性部材とが、前記一対の非伸縮部のそれぞれにおいて交差した状態で切断される。
【００１２】
請求項５に記載の発明は、上端に胴部開口を有し、下部に一対の脚部開口を有するパンツタイプの吸収性物品であって、着用者の腹側および背側の肌に接する前方部および後方部の間の中間部で折り曲げられ、前記中間部を下側に向けた際の前記前方部の左右両側の部位が、前記後方部の左右両側の部位にそれぞれ接合されることにより、前記前方部および前記後方部の上端に胴部開口が形成され、前記前方部および前記後方部の下側において前記中間部の左右に一対の脚部開口が形成される外装シートと、前記外装シートの着用者側に取り付けられて着用者からの排泄物を吸収する吸収体とを備え、前記外装シートが、第１シートと、前記第１シート上に積層されて前記第１シートに接合された第２シートと、前記一対の脚部開口の間の前記中間部において、前記第１シートと前記第２シートとの間にて左右方向に沿って配置されて前記第１シートおよび前記第２シートに接合されるとともに収縮することにより前記第１シートおよび前記第２シートを収縮させて中間部ギャザを形成する中間部弾性部材とを備え、前記中間部弾性部材の左右両端部が前記一対の脚部開口よりも内側に位置し、前記中間部弾性部材の前記左右両端部と前記一対の脚部開口との間の部位が、伸縮性を有しない一対の非伸縮部とされる。
【００１３】
請求項６に記載の発明は、請求項５に記載の吸収性物品であって、前記中間部弾性部材が、前記一対の非伸縮部を通って前記第１シートおよび前記第２シートに伸張状態にて接合された弾性部材を、前記一対の非伸縮部のそれぞれにおいて、前記第１シートおよび前記第２シートの少なくとも一方と共に切断して伸縮性を喪失させることにより形成されている。
【００１４】
請求項７に記載の発明は、請求項６に記載の吸収性物品であって、前記外装シートが、前記一対の脚部開口のエッジに沿って配置されるとともに収縮することにより一対の脚部開口ギャザを形成する脚部弾性部材をさらに備え、前記脚部弾性部材が、前記一対の非伸縮部を通って前記第１シートおよび前記第２シートに伸張状態にて接合された弾性部材を、前記一対の非伸縮部のそれぞれにおいて、前記第１シートおよび前記第２シートの前記少なくとも一方と共に切断して伸縮性を喪失させることにより形成されている。
【００１５】
請求項８に記載の発明は、請求項７に記載の吸収性物品であって、前記中間部弾性部材となる弾性部材と前記脚部弾性部材となる弾性部材とが、前記一対の非伸縮部のそれぞれにおいて交差した状態で切断される。
【００１６】
請求項９に記載の発明は、請求項１ないし８のいずれかに記載の吸収性物品であって、前記外装シートを伸張した状態において、前記一対の非伸縮部の前記左右方向の合計幅が、前記中間部の前記一対の非伸縮部が設けられる部位における前記左右方向の幅の２０％以上６０％以下とされる。
【００１７】
請求項１０に記載の発明は、請求項１ないし９のいずれかに記載の吸収性物品であって、前記中間部弾性部材が、前記一対の非伸縮部の間において連続している。
【００１８】
請求項１１に記載の発明は、請求項１ないし１０のいずれかに記載の吸収性物品であって、前記中間部弾性部材が、前記中間部の下端となる折り曲げ部と前記前方部との間に配置され、左右両側に伸縮性を有しない一対の非伸縮部が配置されるもう１つの中間部弾性部材が、前記中間部の前記折り曲げ部と前記後方部との間に配置される。
【発明の効果】
【００１９】
本発明では、中間部の着用者に対する密着性を向上することができるとともに脚部開口近傍の部位の柔軟性を向上することができる。また、請求項２ないし４、並びに、請求項６ないし８の発明では、吸収性物品を容易に形成することができ、さらに、請求項３，４，７および８の発明では、脚部開口近傍の部位の着用者に対する密着性および柔軟性を共に実現することができる。請求項１０の発明では、中間部の着用者に対する密着性をより向上することができる。
【発明を実施するための最良の形態】
【００２０】
図１は、本発明の第１の実施の形態に係る吸収性物品１の外観を示す斜視図であり、図２および図３はそれぞれ、吸収性物品１の正面図（すなわち、着用者の腹側に位置する部位の図）および背面図（すなわち、着用者の背側に位置する部位の図）である。図１ないし図３に示すように、吸収性物品１は、上端（すなわち、図１中の上側の端部）に胴部開口１１を有し、下部に一対の脚部開口１２を有するパンツタイプの使い捨ておむつである。
【００２１】
図４は、吸収性物品１を展開した状態で着用者側から見た平面図である。図４に示すように、吸収性物品１は、略シート状の外装シート４、および、外装シート４の着用者側に取り付けられて着用者からの排泄物を吸収する吸収体２を備える。吸収性物品１では、外装シート４の図４中の下側の部位４０１が着用者の腹側の肌に接し、図４中の上側の部位４０３が着用者の背側の肌に接する。以下の説明では、外装シート４の着用者の腹側および背側の肌に接する部位４０１，４０３をそれぞれ、「前方部４０１」および「後方部４０３」と呼び、前方部４０１と後方部４０３との間で着用者の股間部に対向する部位４０２を「中間部４０２」と呼ぶ。
【００２２】
図１に示すように、吸収性物品１では、外装シート４が吸収体２と共に中間部４０２の下端となる折り曲げ部４０２１にて折り曲げられ、中間部４０２を下側に向けた際の前方部４０１の左右両側の部位（すなわち、前方部４０１の幅方向の両側の部位）が、後方部４０３の左右両側の部位（すなわち、後方部４０３の幅方向の両側の部位）にそれぞれ接合されることにより、前方部４０１および後方部４０３の上端に胴部開口１１が形成され、前方部４０１および後方部４０３の下側において中間部４０２の左右に一対の脚部開口１２が形成される。これにより、吸収性物品１がパンツ型に形成される。以下の説明では、中間部４０２の折り曲げ部４０２１と前方部４０１との間の部位を中間部前部４０２２といい、中間部４０２の折り曲げ部４０２１と後方部４０３との間の部位を中間部後部４０２３という。
【００２３】
図５は、吸収性物品１を図４中に示すＡ−Ａの位置で切断した断面図である。図４および図５に示すように、吸収体２は、吸収性を有する吸収コア２２、吸収コア２２の着用者側の主面を覆うトップシート２１、吸収コア２２の着用者側とは反対側の主面を覆うバックシート２３、および、吸収コア２２の長手方向（すなわち、図４中の上下方向であり、吸収性物品１の長手方向と一致する。）のほぼ全長に亘って吸収コア２２の長手方向に垂直な左右方向（すなわち、幅方向）の両側に設けられた一対の側壁部３を備える。図４中では、吸収コア２２の輪郭を太い破線にて示す。トップシート２１およびバックシート２３は、ホットメルト接着剤等により吸収コア２２の周囲にて互いに接合され、吸収コア２２の側方には側壁部３が接合される。図５中では、図示の都合上、トップシート２１と吸収コア２２との間に隙間をあけて描いている。
【００２４】
トップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２５】
吸収コア２２は、親水性繊維（例えば、粉砕したパルプ繊維やセルロース繊維）に粒状の吸水性ポリマー（例えば、ＳＡＰ（Super Absorbent Polymer））を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２６】
バックシート２３は、撥水性または不透液性のプラスチックフィルムであり、トップシート２１を透過した水分、および、吸収コア２２に一旦吸収された水分が、外装シート４側にしみ出すのを防止する。着用者の快適性の観点からは、通気性を有するプラスチックフィルムがバックシート２３として利用されることが好ましい。バックシート２３としては、撥水性または不透液性の不織布や当該不織布の着用者側に撥水性または不透液性のプラスチックフィルムが積層された積層シートが利用されてもよい。バックシート２３に利用される不織布は、例えば、スパンボンド不織布やメルトブロー不織布、ＳＭＳ（スパンボンド・メルトブロー・スパンボンド）不織布であり、必要に応じて撥水処理が施されてもよい。
【００２７】
図４および図５に示すように、一対の側壁部３のそれぞれには、長手方向に伸びる２本の弾性糸３１が接合されており、図４に示すように吸収性物品１を広げた状態では、弾性糸３１は伸張状態となっている。吸収性物品１では、弾性糸３１が収縮することにより、吸収体２の側方において側壁部３が着用者側に向かって立ち上がり、着用時に着用者の足の付け根近傍に当接する立体ギャザが形成される。
【００２８】
側壁部３は、撥水性または不透液性の不織布（例えば、スパンボンド不織布やメルトブロー不織布、ＳＭＳ不織布）やプラスチックフィルム、あるいは、これらの複合材料により形成される。吸収性物品１の快適性向上の観点からは、側壁部３が通気性を有することが好ましい。弾性糸３１としては、例えば、ポリウレタン糸、帯状のポリウレタンフィルム、糸状または帯状の天然ゴム等が用いられる。
【００２９】
図５に示すように、外装シート４は、第１シート４１、および、第１シート４１上に積層されてホットメルト接着剤等により第１シート４１に接合された第２シート４２を備える。図５では、図示の都合上、第１シート４１と第２シート４２との間に隙間をあけて描いている。外装シート４の第２シート４２上には、吸収体２のバックシート２３がホットメルト接着剤等により接合されている。本実施の形態では、第１シート４１および第２シート４２は、撥水性または不透液性の不織布である。なお、第１シート４１および第２シート４２として、撥水性または不透液性のプラスチックフィルムやプラスチックフィルムと不織布との積層シートが利用されてもよいが、着用者の肌触りを向上するという観点からは、第１シート４１および第２シート４２は不織布により形成されることが好ましい。
【００３０】
図１ないし図３に示すように、外装シート４は、また、胴部開口１１のエッジに沿って配置される胴部弾性部材４３、一対の脚部開口１２のそれぞれのエッジに沿って配置される脚部弾性部材４４、胴部弾性部材４３および脚部弾性部材４４の間において左右方向（すなわち、幅方向）に沿って前方部４０１および後方部４０３にそれぞれ配置される前方部弾性部材４５および後方部弾性部材４６、並びに、一対の脚部開口１２の間の中間部４０２において中間部前部４０２２および中間部後部４０２３に左右方向に沿って配置される第１中間部弾性部材４７および第２中間部弾性部材４８をさらに備える。
【００３１】
図５に示すように、脚部弾性部材４４は、第１シート４１と第２シート４２との間において、ホットメルト接着剤等により第１シート４１および第２シート４２に接合されている。また、図１ないし図３に示す胴部弾性部材４３、前方部弾性部材４５および後方部弾性部材４６、並びに、第１中間部弾性部材４７および第２中間部弾性部材４８も、脚部弾性部材４４と同様に、図５に示す第１シート４１と第２シート４２との間において、ホットメルト接着剤等により第１シート４１および第２シート４２に接合されている。
【００３２】
図１に示すように、胴部弾性部材４３は、胴部開口１１のエッジに沿って胴部開口１１のおよそ全周に亘って伸張状態にて接合され、収縮することにより第１シート４１および第２シート４２（図５参照）を収縮させて胴部開口ギャザを形成する。脚部弾性部材４４は、一対の脚部開口１２のエッジにそれぞれ沿って伸張状態にて接合され、収縮することにより第１シート４１および第２シート４２を収縮させて一対の脚部開口ギャザを形成する。
【００３３】
前方部弾性部材４５および後方部弾性部材４６は、外装シート４の前方部４０１および後方部４０３にそれぞれ伸張状態にて接合され、収縮することにより第１シート４１および第２シート４２を収縮させて前方部ギャザおよび後方部ギャザを形成する。図２および図３に示す第１中間部弾性部材４７および第２中間部弾性部材４８は、中間部４０２の中間部前部４０２２および中間部後部４０２３にそれぞれ伸張状態にて接合され、収縮することにより第１シート４１および第２シート４２（図５参照）を収縮させて中間部ギャザを形成する。
【００３４】
すなわち、吸収性物品１の一部である外装シート４（または、その一部）は、伸縮性を有する伸縮シートとなっている。本実施の形態では、胴部弾性部材４３、脚部弾性部材４４、前方部弾性部材４５および後方部弾性部材４６、並びに、第１中間部弾性部材４７および第２中間部弾性部材４８はそれぞれ、好ましくは、１．１倍〜５．０倍に伸張された状態にて第１シート４１および第２シート４２に接合される。
【００３５】
図２および図４に示すように、外装シート４では、第１中間部弾性部材４７の左右両端部は一対の脚部開口１２のエッジ１２１よりも内側（すなわち、外装シート４の左右方向の中央側）に位置し、第１中間部弾性部材４７の左右両端部と一対の脚部開口１２のエッジ１２１との間の部位（すなわち、図２ないし図４中において二点鎖線にて囲む部位）は、伸縮性を有しない一対の非伸縮部４９となっている。また、図３および図４に示すように、第２中間部弾性部材４８の左右両端部も一対の脚部開口１２のエッジ１２１よりも内側に位置し、第２中間部弾性部材４８の左右両端部と一対の脚部開口１２のエッジ１２１との間の部位は、第１中間部弾性部材４７の左右両側と同様に、伸縮性を有しない一対の非伸縮部４９となっている。
【００３６】
図２ないし図４に示すように、第１中間部弾性部材４７および第２中間部弾性部材４８はそれぞれ、中間部前部４０２２および中間部後部４０２３において一対の非伸縮部４９の間において連続しており、各一対の非伸縮部４９の間には連続する中間部ギャザが形成される。
【００３７】
吸収性物品１では、外装シート４の第１シート４１および第２シート４２が伸張された状態（図４参照）において、第１中間部弾性部材４７の左右方向の長さは、中間部前部４０２２の第１中間部弾性部材４７が設けられる部位における左右方向の幅の４０％以上８０％以下とされることが好ましく、５０％以上７０％以下とされることがより好ましい。ここで、中間部前部４０２２の第１中間部弾性部材４７が設けられる部位における左右方向の幅とは、当該部位の左右方向の平均幅であり、本実施の形態では、後述する第１中間部弾性部材４７の３本の第１中間部弾性糸４７１のうち、中央の第１中間部弾性糸４７１が設けられる部位近傍における左右方向の幅となる。また、第２中間部弾性部材４８の左右方向の長さは、中間部後部４０２３の第２中間部弾性部材４８が設けられる部位における左右方向の平均幅の４０％以上８０％以下とされることが好ましく、５０％以上７０％以下とされることがより好ましい。
【００３８】
換言すれば、吸収性物品１では、外装シート４の第１シート４１および第２シート４２が伸張された状態において、中間部前部４０２２における一対の非伸縮部４９の左右方向の合計幅は、好ましくは、中間部前部４０２２の一対の非伸縮部４９が設けられる部位における左右方向の平均幅（上述の第１中間部弾性部材４７が設けられる部位における左右方向の平均幅に等しい。）の２０％以上６０％以下とされ、より好ましくは、３０％以上５０％以下とされる。また、中間部後部４０２３における一対の非伸縮部４９の左右方向の合計幅も、好ましくは、中間部後部４０２３の一対の非伸縮部４９が設けられる部位における左右方向の平均幅の２０％以上６０％以下（より好ましくは、３０％以上５０％以下）とされる。
【００３９】
図２に示すように、中間部前部４０２２では、脚部弾性部材４４は一対の非伸縮部４９には設けられていない。換言すれば、脚部弾性部材４４は一対の非伸縮部４９により上下に分かれており、脚部弾性部材４４の非伸縮部４９よりも上側の部位（すなわち、前方部４０１側の部位）は、一対の脚部開口１２のエッジ１２１にそれぞれ沿って非伸縮部４９と前方部４０１の側端部の下端近傍との間に配置される。また、脚部弾性部材４４の非伸縮部４９よりも下側の部位（すなわち、前方部４０１とは反対側の部位）は、一方の脚部開口１２に沿って一方の非伸縮部４９から折り曲げ部４０２１近傍へと至り、折り曲げ部４０２１近傍において左右方向に沿って配置され、さらに、他方の脚部開口１２に沿って折り曲げ部４０２１近傍から他方の非伸縮部４９へと至るように配置される。
【００４０】
図３に示すように、中間部後部４０２３でも、中間部前部４０２２（図２参照）と同様に、脚部弾性部材４４は一対の非伸縮部４９には設けられておらず、一対の非伸縮部４９により上下に分かれている。脚部弾性部材４４の非伸縮部４９よりも上側の部位は、一対の脚部開口１２のエッジ１２１にそれぞれ沿って非伸縮部４９と後方部４０３の側端部の下端近傍との間に配置され、非伸縮部４９よりも下側の部位は、一方の脚部開口１２に沿って一方の非伸縮部４９から折り曲げ部４０２１近傍へと至り、折り曲げ部４０２１近傍において左右方向に沿って配置され、さらに、他方の脚部開口１２に沿って折り曲げ部４０２１近傍から他方の非伸縮部４９へと至るように配置される。
【００４１】
したがって、図２および図３に示す外装シート４の前方部４０１および後方部４０３の左右両側の部位が接合されることにより、脚部弾性部材４４が、一対の脚部開口１２の周囲において断続的に（不連続に）非環状にて配置されることとなる。
【００４２】
図１ないし図４に示すように、胴部弾性部材４３、前方部弾性部材４５および後方部弾性部材４６、並びに、第１中間部弾性部材４７および第２中間部弾性部材４８はそれぞれ複数の弾性要素である弾性糸を含む弾性糸群であり、吸収性物品１では、これらの弾性糸群をそれぞれ胴部弾性部材４３、前方部弾性部材４５および後方部弾性部材４６、並びに、第１中間部弾性部材４７および第２中間部弾性部材４８と総称している。
【００４３】
図４に示すように、胴部弾性部材４３の複数の弾性糸は、外装シート４の前方部４０１と後方部４０３とに個別に設けられており、前方部４０１および後方部４０３の左右両側の部位が接合されることにより、吸収性物品１の胴部開口１１（図１参照）のエッジに沿って胴部開口１１のおよそ全周に亘って配置されることとなる。また、外装シート４の前方部４０１および後方部４０３の左右両側の部位が接合されることにより、前方部弾性部材４５の複数の弾性糸、および、後方部弾性部材４６の複数の弾性糸が、胴部開口１１と一対の脚部開口１２との間の胴周り部（すなわち、前方部４０１および後方部４０３）のおよそ全周に亘って配置されることとなる。
【００４４】
図２に示すように、外装シート４の中間部前部４０２２（および前方部４０１）では、脚部弾性部材４４の複数の弾性糸４４１が、各脚部開口１２近傍において脚部開口１２のエッジ１２１に略平行に３本ずつ配置されている。また、図３に示すように、中間部後部４０２３（および後方部４０３）では、脚部弾性部材４４の複数の弾性糸４４２が、各脚部開口１２近傍において脚部開口１２のエッジ１２１に略平行に３本ずつ配置されている。以下の説明では、弾性糸４４１，４４２をそれぞれ、「前部脚部弾性糸４４１」および「後部脚部弾性糸４４２」という。
【００４５】
図２に示すように、第１中間部弾性部材４７は３本の第１中間部弾性糸４７１を備え、各第１中間部弾性糸４７１は、中間部前部４０２２の一対の非伸縮部４９の間において連続するとともに左右方向に略平行に配置される。また、図３に示すように、第２中間部弾性部材４８は、第１中間部弾性部材４７と同様に、３本の第２中間部弾性糸４８１を備え、各第２中間部弾性糸４８１は、中間部後部４０２３の一対の非伸縮部４９の間において連続するとともに左右方向に略平行に配置される。
【００４６】
図４に示す胴部弾性部材４３、脚部弾性部材４４、前方部弾性部材４５および後方部弾性部材４６、並びに、第１中間部弾性部材４７および第２中間部弾性部材４８にそれぞれ含まれる複数の弾性糸としては、例えば、ポリウレタン糸、帯状のポリウレタンフィルム、糸状または帯状の天然ゴム等が用いられる。本実施の形態では、繊度３００〜２０００デシテックスの糸状部材である複数のポリウレタン糸が、ゴム系のホットメルト接着剤により第１シート４１および第２シート４２（図５参照）に接着される。なお、各弾性部材に含まれる弾性糸の第１シート４１および第２シート４２に対する接合方法としては、超音波圧着や熱圧着等を採用することもできる。ただし、製造の簡素化等の観点からは、ホットメルト接着剤による接着が好ましい。
【００４７】
図６は、外装シート４を展開した状態（すなわち、前方部４０１および後方部４０３の左右両側の部位が接合されていない状態）で着用者側から見た平面図である。図６に示すように外装シート４の第１シート４１および第２シート４２を伸張した状態では、胴部弾性部材４３、脚部弾性部材４４、前方部弾性部材４５および後方部弾性部材４６、並びに、第１中間部弾性部材４７および第２中間部弾性部材４８はそれぞれ伸張状態となっている。図６では、図示の都合上、胴部弾性部材４３、脚部弾性部材４４、前方部弾性部材４５および後方部弾性部材４６、並びに、第１中間部弾性部材４７および第２中間部弾性部材４８をそれぞれ、細い実線にて描いている（図７ないし図１１においても同様）。
【００４８】
図６に示すように、脚部弾性部材４４は、中間部前部４０２２および中間部後部４０２３のそれぞれにおいて、外装シート４の長手方向（すなわち、図６中の上下方向であり、吸収性物品１の長手方向と一致する。）、および、長手方向に垂直な幅方向（すなわち、左右方向）の双方に対して傾斜する一対の傾斜部４４３を有し、傾斜部４４３には非伸縮部４９が設けられている。
【００４９】
図７は、製造途上の外装シート４を示す平面図である。図７に示すように、外装シート４が形成される際には、第１シート４１および／または第２シート４２の全面に亘ってカーテンスプレー等によりホットメルト接着剤が塗布された後、脚部弾性部材４４となる予定の弾性部材である複数の弾性糸８４４が、中間部前部４０２２および中間部後部４０２３の一対の非伸縮部４９となる予定の部位８４９（図７中において二点鎖線にて囲む部位であり、以下、単に「非伸縮部８４９」という。）を通って（すなわち、一対の非伸縮部８４９の一方から他方に亘って）、第１シート４１および第２シート４２に伸張状態にて接合される。
【００５０】
また、弾性糸８４４の接合と並行して、第１中間部弾性部材４７および第２中間部弾性部材４８となる予定の弾性部材である複数の弾性糸８４７，８４８の全長に亘ってホットメルト接着剤が塗布された後、複数の弾性糸８４７，８４８がそれぞれ、中間部前部４０２２および中間部後部４０２３の一対の非伸縮部８４９を通って（すなわち、一対の非伸縮部８４９の一方から他方に亘って）、第１シート４１および第２シート４２に伸張状態にて接合される。これにより、中間部前部４０２２の一対の非伸縮部８４９において、弾性糸８４４と弾性糸８４７とが交差するとともに、中間部後部４０２３の一対の非伸縮部８４９において、弾性糸８４４と弾性糸８４８とが交差する。
【００５１】
そして、中間部前部４０２２の一対の非伸縮部８４９のそれぞれにおいて、交差している弾性糸８４４および弾性糸８４７が、第１シート４１および第２シート４２と共に複数の切断刃を有する回転刃等により切断されて伸縮力を喪失することにより、図２に示すように、中間部前部４０２２の脚部弾性部材４４および第１中間部弾性部材４７、並びに、一対の非伸縮部４９が形成される。
【００５２】
また、図７に示す中間部後部４０２３でも同様に、一対の非伸縮部８４９のそれぞれにおいて、交差している弾性糸８４４および弾性糸８４８が、第１シート４１および第２シート４２と共に複数の切断刃を有する回転刃等により切断されて伸縮力を喪失することにより、図３に示すように、中間部後部４０２３の脚部弾性部材４４および第２中間部弾性部材４８、並びに、一対の非伸縮部４９が形成される。切断された弾性糸８４４，８４７，８４８の細片は、第１シート４１と第２シート４２との間において、第１シート４１および第２シート４２を収縮させることなく収縮している。
【００５３】
なお、実際には、脚部弾性部材４４、第１中間部弾性部材４７および第２中間部弾性部材４８となる弾性部材（すなわち、弾性糸８４４，８４７，８４８）の接合は、第１シート４１が連続的につながっているシート部材、および、第２シート４２が連続的につながっているシート部材に対して行われ、弾性部材の切断は、これらのシート部材が接合されたもの（すなわち、外装シート４が連続的につながっている連続体であるシート部材）に対して行われる。また、脚部開口１２に対応する切り欠き部８１２は、弾性部材の切断後に形成される。
【００５４】
以上に説明したように、吸収性物品１では、外装シート４の中間部前部４０２２において第１中間部弾性部材４７が左右方向に沿って配置され、第１中間部弾性部材４７が収縮することにより第１シート４１および第２シート４２が収縮されて中間部ギャザが形成される。これにより、中間部４０２の着用者に対する密着性を向上することができるため、吸収性物品１の外観が向上される。また、尿等の排泄物が吸収体２により吸収された状態においても、中間部ギャザにより中間部４０２が大きく膨らんでしまうことが抑制され、外観の向上が実現されるとともに排泄物の漏れをより確実に防止することができる。
【００５５】
また、中間部前部４０２２では、第１中間部弾性部材４７の左右両端部と一対の脚部開口１２のエッジ１２１との間の部位が、伸縮性を有しない一対の非伸縮部４９とされる。このように、吸収性物品１では、脚部開口１２近傍に非伸縮部４９を設けることにより、外装シート４の脚部開口１２近傍の部位の柔軟性を向上することができる。その結果、吸収性物品１の脚周りの部位の着用者に対する密着性が過剰に大きくなることが防止され（すなわち、吸収性物品１により着用者の脚周りがきつく圧迫されることが防止され）、脚部開口１２からの排泄物の漏れを防止しつつ吸収性物品１の着用感を快適なものとすることができる。また、吸収性物品１の装着時に、着用者の脚を脚部開口１２に円滑に挿入することができるため、吸収性物品１の装着が容易とされる。
【００５６】
吸収性物品１では、外装シート４の中間部後部４０２３に第２中間部弾性部材４８が配置されることにより、中間部後部４０２３にも中間部前部４０２２と同様に中間部ギャザが形成されるとともに、第２中間部弾性部材４８の左右両端部と一対の脚部開口１２のエッジ１２１との間の部位が、伸縮性を有しない一対の非伸縮部４９とされる。これにより、中間部４０２の着用者に対する密着性、および、外装シート４の脚部開口１２近傍の部位の柔軟性をより向上することができる。
【００５７】
吸収性物品１では、中間部前部４０２２における一対の非伸縮部４９の合計幅が、中間部前部４０２２の一対の非伸縮部４９が設けられる部位における左右方向の幅の２０％以上（より好ましくは、３０％以上）とされることにより、外装シート４の脚部開口１２近傍の部位の柔軟性がさらに向上され、一対の非伸縮部４９が設けられる部位における左右方向の幅の６０％以下（より好ましくは、５０％以下）とされることにより、第１中間部弾性部材４７の長さを十分に確保して中間部４０２の着用者に対する密着性をさらに向上することができる。また、中間部後部４０２３における一対の非伸縮部４９の合計幅が、中間部後部４０２３の一対の非伸縮部４９が設けられる部位における左右方向の幅の２０％以上６０％以下（より好ましくは、３０％以上５０％以下）とされることにより、中間部４０２の着用者に対する密着性、および、外装シート４の脚部開口１２近傍の部位の柔軟性がより一層向上される。
【００５８】
中間部４０２では、第１中間部弾性部材４７が中間部前部４０２２の一対の非伸縮部４９の間において連続していることにより、第１中間部弾性部材４７による中間部ギャザの強度が向上され、中間部４０２の着用者に対する密着性をより向上することができる。また、第２中間部弾性部材４８が中間部後部４０２３の一対の非伸縮部４９の間において連続していることにより、中間部４０２の着用者に対する密着性がさらに向上される。
【００５９】
吸収性物品１の製造では、中間部前部４０２２の一対の非伸縮部４９を通って第１シート４１および第２シート４２に接合された弾性糸８４７が、当該一対の非伸縮部４９において切断されて伸縮性を喪失することにより第１中間部弾性部材４７が形成される。これにより、外装シート４および吸収性物品１を容易に形成することができる。また、中間部後部４０２３の一対の非伸縮部４９を通って第１シート４１および第２シート４２に接合された弾性糸８４８が、当該一対の非伸縮部４９において切断されて伸縮性を喪失することにより第２中間部弾性部材４８が形成される。これにより、外装シート４および吸収性物品１がより容易に形成される。
【００６０】
上述のように、吸収性物品１では、中間部前部４０２２および中間部後部４０２３の一対の非伸縮部４９を通って第１シート４１および第２シート４２に接合された弾性糸８４４が、各非伸縮部４９において切断されて伸縮性を喪失することにより一対の脚部弾性部材４４が形成され、一対の脚部開口１２のエッジ１２１に沿う当該脚部弾性部材４４により一対の脚部開口ギャザが形成される。このように、一対の脚部開口１２の周囲に断続的に配置される非環状の脚部弾性部材４４により脚部開口ギャザが形成されることにより、外装シート４の脚部開口１２近傍の部位の着用者に対する密着性および柔軟性が共に実現される。
【００６１】
吸収性物品１の製造では、第１中間部弾性部材４７および第２中間部弾性部材４８となる弾性部材と脚部弾性部材４４となる弾性部材とが、中間部前部４０２２および中間部後部４０２３の各非伸縮部４９において交差した状態で切断されて第１中間部弾性部材４７および第２中間部弾性部材４８、並びに、脚部弾性部材４４が形成されることにより、外装シート４および吸収性物品１の形成を簡素化することができる。
【００６２】
次に、本発明の第２の実施の形態に係る吸収性物品について説明する。図８は、第２の実施の形態に係る吸収性物品の外装シート４ａを展開した状態で着用者側から見た平面図である。図８に示すように、外装シート４ａでは、中間部４０２の中間部前部４０２２において、第１中間部弾性部材４７の３本の第１中間部弾性糸４７１のうち一部（本実施の形態では、２本）の第１中間部弾性糸４７１の左右両側にのみ非伸縮部４９が設けられており、中間部後部４０２３において、第２中間部弾性部材４８の３本の第２中間部弾性糸４８１のうち一部（本実施の形態では、２本）の第２中間部弾性糸４８１の左右両側にのみ非伸縮部４９が設けられる。第２の実施の形態に係る吸収性物品のその他の構成は、図１ないし図６に示す吸収性物品１と同様であり、以下の説明において同符号を付す。
【００６３】
図８に示す外装シート４ａの中間部前部４０２２では、第１中間部弾性部材４７の２本の第１中間部弾性糸４７１の左右両端部が一対の脚部開口１２（図１ないし図３参照）のエッジ１２１よりも内側に位置し、当該２本の第１中間部弾性糸４７１の左右両端部と一対の脚部開口１２のエッジ１２１との間の部位が、伸縮性を有しない一対の非伸縮部４９とされる。また、第１中間部弾性部材４７の残り１本の第１中間部弾性糸４７１は、一対の脚部開口１２のエッジ１２１近傍において、一対の脚部弾性部材４４と交差している。
【００６４】
外装シート４ａの中間部後部４０２３でも同様に、第２中間部弾性部材４８の２本の第２中間部弾性糸４８１の左右両端部が一対の脚部開口１２のエッジ１２１よりも内側に位置し、当該２本の第２中間部弾性糸４８１の左右両端部と一対の脚部開口１２のエッジ１２１との間の部位が、伸縮性を有しない一対の非伸縮部４９とされる。また、第２中間部弾性部材４８の残り１本の第２中間部弾性糸４８１は、一対の脚部開口１２のエッジ１２１近傍において、一対の脚部弾性部材４４と交差している。
【００６５】
外装シート４ａの製造では、図９に示すように、第１シート４１および第２シート４２に伸張状態にて接合された複数の弾性糸のうち、中間部前部４０２２の一対の非伸縮部８４９において３本の弾性糸８４４と２本の弾性糸８４７とが交差した状態で切断され、残り１本の弾性糸８４７は切断されない。また、中間部後部４０２３の一対の非伸縮部４９において３本の弾性糸８４４と２本の弾性糸８４８とが交差した状態で切断され、残り１本の弾性糸８４８は切断されない。
【００６６】
第２の実施の形態に係る吸収性物品でも、第１の実施の形態と同様に、図８に示す第１中間部弾性部材４７および第２中間部弾性部材４８により中間部４０２に中間部ギャザが形成されることにより、中間部４０２の着用者に対する密着性を向上することができる。また、第１中間部弾性部材４７の複数の第１中間部弾性糸４７１のうち少なくとも一部の第１中間部弾性糸４７１の左右両側において、脚部開口１２（図１ないし図３参照）近傍の部位が伸縮性を有しない一対の非伸縮部４９とされることにより、外装シート４ａの脚部開口１２近傍の部位の柔軟性を向上することができる。さらに、第２中間部弾性部材４８の複数の第２中間部弾性糸４８１のうち少なくとも一部の第２中間部弾性糸４８１の左右両側において、脚部開口１２近傍の部位が伸縮性を有しない一対の非伸縮部４９とされることにより、外装シート４ａの脚部開口１２近傍の部位の柔軟性をより向上することができる。
【００６７】
次に、本発明の第３の実施の形態に係る吸収性物品について説明する。図１０は、第３の実施の形態に係る吸収性物品の外装シート４ｂを展開した状態で着用者側から見た平面図である。図１０に示すように、外装シート４ｂでは、脚部開口のエッジ１２１近傍の部位に脚部弾性部材は設けられず、中間部４０２の中間部前部４０２２および中間部後部４０２３のおよそ全域に亘って左右方向に略平行な複数の第１中間部弾性糸４７１および複数の第２中間部弾性糸４８１（すなわち、第１中間部弾性部材４７および第２中間部弾性部材４８）が配置されている。
【００６８】
第１中間部弾性部材４７および第２中間部弾性部材４８の左右両端部は、一対の脚部開口のエッジ１２１よりも内側に位置しており、第１中間部弾性部材４７および第２中間部弾性部材４８の左右両端部と一対の脚部開口のエッジ１２１との間の部位は一対の非伸縮部４９ａとなっている。第３の実施の形態に係る外装シート４ｂにおいても、第１の実施の形態と同様に、中間部４０２の着用者に対する密着性、および、外装シート４ｂの脚部開口近傍の部位の柔軟性を向上することができる。
【００６９】
次に、本発明の第４の実施の形態に係る吸収性物品について説明する。図１１は、第４の実施の形態に係る吸収性物品の外装シート４ｃを展開した状態で着用者側から見た平面図である。図１１に示すように、外装シート４ｃでは、脚部弾性部材４４が中間部４０２の中間部前部４０２２の前方部４０１側、および、中間部後部４０２３の後方部４０３側に配置されており、脚部弾性部材４４の一対の傾斜部４４３間の部位（すなわち、左右方向に略平行な部位）は、中間部前部４０２２または中間部後部４０２３の長手方向の中央近傍に配置されている。外装シート４ｃでは、脚部弾性部材４４は切断刃により切断されることなく、外装シート４ｃの左右方向に連続して設けられる。
【００７０】
外装シート４ｃでは、中間部前部４０２２の脚部弾性部材４４と中間部後部４０２３の脚部弾性部材４４との間（すなわち、折り曲げ部４０２１近傍）に、第１中間部弾性部材４７および第２中間部弾性部材４８が脚部弾性部材４４と交差することなく配置されている。第１中間部弾性部材４７および第２中間部弾性部材４８の左右両端部は、一対の脚部開口のエッジ１２１よりも内側に位置しており、第１中間部弾性部材４７および第２中間部弾性部材４８の左右両端部と一対の脚部開口のエッジ１２１との間の部位は一対の非伸縮部４９ｂとなっている。第４の実施の形態に係る外装シート４ｃにおいても、第１の実施の形態と同様に、中間部４０２の着用者に対する密着性、および、外装シートの脚部開口近傍の部位の柔軟性を向上することができる。
【００７１】
以上、本発明の実施の形態について説明してきたが、本発明は上記実施の形態に限定されるものではなく、様々な変更が可能である。
【００７２】
第１および第２の実施の形態に係る吸収性物品の製造では、弾性糸８４４，８４７，８４８は、必ずしも第１シート４１および第２シート４２と共に切断される必要はなく、第１シート４１および第２シート４２の少なくとも一方と共に切断されていればよい。これにより、吸収性物品を容易に形成することができる。また、弾性糸８４４，８４７，８４８の切断は、例えば、圧縮空気のブローにより、あるいは、先端が鋭くない刃物を外装シート４に当接させた上で超音波を印可することにより、第１シート４１および第２シート４２を切断することなく行われてもよい。
【００７３】
上記実施の形態に係る吸収性物品の製造では、また、必ずしも非伸縮部４９において弾性糸８４７，８４８が切断されることにより第１中間部弾性部材４７および第２中間部弾性部材４８が形成される必要はない。例えば、第１シート４１および第２シート４２の非伸縮部４９となる部位、および、弾性糸８４７，８４８の非伸縮部４９に対応する部位にホットメルト接着剤を塗布せず、弾性糸８４７，８４８の非伸縮部４９に対応する部位以外の部位のみにホットメルト接着剤を塗布した上で、これらの弾性糸を第１シート４１および第２シート４２に接合した後、外装シート４の左右両側においてこれらの弾性糸が切断されてもよい。これにより、弾性糸のホットメルト接着剤が塗布されていない部位が、第１シート４１および第２シート４２を収縮させることなく左右方向の中央側に向かって収縮し、また、弾性糸のホットメルト接着剤が塗布された部位が第１シート４１および第２シート４２と共に収縮して中間部ギャザが形成される。
【００７４】
第１の実施の形態に係る吸収性物品１では、第１中間部弾性部材４７および第２中間部弾性部材４８が、それぞれ１本の弾性糸のみを有していてもよく、２本または４本以上の弾性糸を有していてもよい。この場合であっても、中間部４０２の着用者に対する密着性、および、外装シート４の脚部開口１２近傍の部位の柔軟性を向上することができる。
【００７５】
上記実施の形態に係る吸収性物品では、第１中間部弾性部材４７および第２中間部弾性部材４８の第１中間部弾性糸４７１および第２中間部弾性糸４８１は、左右方向に沿って配置されるのであれば、必ずしも左右方向に略平行とされる必要はなく、例えば、左右方向の中央近傍において中間部４０２の折り曲げ部４０２１に向かって湾曲するように配置されてもよい。また、吸収性物品では、外装シート４の中間部４０２において、第１中間部弾性部材４７および第２中間部弾性部材４８の一方のみが設けられてもよい。この場合、中間部前部４０２２および中間部後部４０２３の一方のみに中間部ギャザおよび一対の非伸縮部４９が形成される。
【００７６】
吸収性物品の非伸縮部は、必ずしも完全に伸縮性を喪失している必要はなく、外装シートにおいて弾性部材が配置されて伸縮性を有している他の部位（例えば、脚部開口ギャザが形成されている部位）に比べて、明らかに伸縮性が小さく、実質的に伸縮性を有しないとみなされる部位とされていればよい。
【図面の簡単な説明】
【００７７】
【図１】第１の実施の形態に係る吸収性物品の外観を示す斜視図である。
【図２】吸収性物品の正面図である。
【図３】吸収性物品の背面図である。
【図４】吸収性物品を展開した状態の平面図である。
【図５】吸収性物品の断面図である。
【図６】外装シートを展開した状態の平面図である。
【図７】製造途上の外装シートを示す平面図である。
【図８】第２の実施の形態に係る吸収性物品の外装シートを展開した状態の平面図である。
【図９】製造途上の外装シートを示す平面図である。
【図１０】第３の実施の形態に係る吸収性物品の外装シートを展開した状態の平面図である。
【図１１】第４の実施の形態に係る吸収性物品の外装シートを展開した状態の平面図である。
【符号の説明】
【００７８】
１    吸収性物品
２    吸収体
４，４ａ〜４ｃ    外装シート
１１    胴部開口
１２    脚部開口
４１    第１シート
４２    第２シート
４４    脚部弾性部材
４７    第１中間部弾性部材
４８    第２中間部弾性部材
４９，４９ａ，４９ｂ    非伸縮部
４０１    前方部
４０２    中間部
４０３    後方部
４７１    第１中間部弾性糸
４８１    第２中間部弾性糸
８４４，８４７，８４８    弾性糸
４０２１    折り曲げ部
【図１】
2008295641.tif 000003
【図２】
2008295641.tif 000004
【図３】
2008295641.tif 000005
【図４】
2008295641.tif 000006
【図５】
2008295641.tif 000007
【図６】
2008295641.tif 000008
【図７】
2008295641.tif 000009
【図８】
2008295641.tif 000010
【図９】
2008295641.tif 000011
【図１０】
2008295641.tif 000012
【図１１】
2008295641.tif 000013